(57)【要約】【課題】ドラムカートリッジおよび現像カートリッジが本体ケーシングに装着されている状態で、現像カートリッジを確実に選択して、取り外すことができる画像形成装置を提供する。【解決手段】  画像形成装置１は、開口２Ａを有する本体ケーシング２と、ドラムカートリッジ３と、現像カートリッジ４とを備える。ドラムカートリッジ３は、ハンドル３２を備える。ハンドル３２は、ドラムカートリッジ３が本体ケーシング２に装着され、かつ、現像カートリッジ４が本体ケーシング２から離脱された状態で、第１位置に位置し、ドラムカートリッジ３と現像カートリッジ４とが本体ケーシング２に装着された状態で、現像カートリッジ４によって押圧されることにより、第１位置よりも開口２Ａから離れている第２位置に位置する。【選択図】図５
2019015800.tif 000002
【特許請求の範囲】
【請求項１】
ドラムガイドと、現像ガイドとを備え、開口を有する本体ケーシングと、
感光ドラムと、第１位置と第２位置との間を移動可能なハンドルと備え、前記開口を介して前記ドラムガイドにガイドされることにより前記本体ケーシングに装着可能なドラムカートリッジと、
現像ローラを備え、前記開口を介して前記現像ガイドにガイドされることにより前記本体ケーシングに装着可能な現像カートリッジと、を備え、
前記現像ガイドの長さは、前記ドラムガイドの長さよりも長く、
前記ハンドルは、
前記ドラムカートリッジが前記本体ケーシングに装着され、かつ、前記現像カートリッジが前記本体ケーシングから離脱された状態で、第１位置に位置し、
前記ドラムカートリッジと前記現像カートリッジとが前記本体ケーシングに装着された状態で、前記現像カートリッジによって押圧されることにより、前記第１位置よりも前記開口から離れている第２位置に位置することを特徴とする、画像形成装置。
【請求項２】
前記現像カートリッジは、前記ドラムカートリッジと前記現像カートリッジとが前記本体ケーシングに装着された状態で、前記第２位置に位置するハンドルと前記本体ケーシングの前記開口との間に位置することを特徴とする、請求項１に記載の画像形成装置。
【請求項３】
前記第１位置に位置する前記ハンドルは、前記感光ドラムの回転軸線が延びる軸線方向から見て、前記現像ガイドと重なることを特徴とする、請求項１または請求項２に記載の画像形成装置。
【請求項４】
前記ドラムカートリッジは、前記感光ドラムを支持するドラムフレームを有し、
前記ハンドルは、前記第１位置と前記第２位置との間を、前記ドラムフレームに対して回動可能であることを特徴とする、請求項１から請求項３のいずれか一項に記載の画像形成装置。
【請求項５】
前記ハンドルは、第１アームと、前記感光ドラムの回転軸線が延びる軸線方向において前記第１アームから離れて位置する第２アームであって、前記軸線方向において前記ドラムフレームに対して前記第１アームの反対側に位置する第２アームと、前記第１アームと前記第２アームとを接続する接続部と、を有することを特徴とする、請求項４に記載の画像形成装置。
【請求項６】
前記ハンドルは、前記感光ドラムの回転軸線について回動可能であることを特徴とする、請求項４または請求項５に記載の画像形成装置。
【請求項７】
前記ハンドルの回動中心は、前記ドラムカートリッジと前記現像カートリッジとが前記本体ケーシングに装着された状態で、前記感光ドラムの回転軸線と前記現像カートリッジとの間に位置することを特徴とする、請求項４または請求項５に記載の画像形成装置。
【請求項８】
さらに、前記感光ドラムを露光するための露光装置を備え、
前記ハンドルの前記接続部は、グリップを有し、
前記グリップは、前記第１位置に位置する状態で、前記露光装置と前記感光ドラムとの間に位置することを特徴とする、請求項５に記載の画像形成装置。
【請求項９】
前記現像カートリッジが前記ハンドルを押圧する第１押圧方向は、前記現像ローラが前記感光ドラムを押圧する第２押圧方向に対して交差し、
前記第１押圧方向と前記第２押圧方向とは、４５°よりも大きく、９０°以下の角度を形成することを特徴とする、請求項１から請求項８のいずれか一項に記載の画像形成装置。
【請求項１０】
前記ドラムカートリッジは、前記感光ドラムを支持するドラムフレームを有し、
前記ハンドルは、前記第１位置と前記第２位置との間を、前記ドラムフレームに対してスライド可能であることを特徴とする、請求項１に記載の画像形成装置。
【請求項１１】
ドラムガイドと、現像ガイドとを備え、開口を有する本体ケーシングと、
感光ドラムと、前記感光ドラムを収容するドラムフレームと、第１位置と第２位置との間を移動可能なハンドルと備え、前記開口を介して前記ドラムガイドにガイドされることにより前記本体ケーシングに装着可能なドラムカートリッジと、
現像ローラを備え、前記開口を介して前記現像ガイドにガイドされることにより前記本体ケーシングに装着可能な現像カートリッジと、を備え、
前記現像ガイドの長さは、前記ドラムガイドの長さよりも長く、
前記ハンドルは、
前記ドラムカートリッジが前記本体ケーシングに装着され、かつ、前記現像カートリッジが前記本体ケーシングから離脱された状態で、少なくとも一部分が前記ドラムフレームの外部にある第１位置に位置し、
前記ドラムカートリッジと前記現像カートリッジとが前記本体ケーシングに装着された状態で、前記現像カートリッジによって押圧されることにより、その全部が前記ドラムフレームの内部にある第２位置に位置することを特徴とする、画像形成装置。
【請求項１２】
前記ドラムカートリッジは、前記第２位置に位置するハンドルを前記第１位置に向かって押圧する押圧部材を有することを特徴とする、請求項１１に記載の画像形成装置。
【請求項１３】
前記ハンドルは、前記現像カートリッジが前記本体ケーシングに装着されるときに、前記現像カートリッジと接触する接触部を有し、
前記現像ローラは、前記感光ドラムの回転軸線が延びる軸線方向における一端と前記軸線方向において前記一端から離れた他端とを有する現像ローラ本体と、現像ローラシャフトとを備え、
前記現像ローラ本体の前記一端は、前記軸線方向において、前記現像ローラ本体の前記他端と前記ハンドルの前記接触部との間に位置することを特徴とする、請求項１１または請求項１２に記載の画像形成装置。
【請求項１４】
前記ハンドルは、前記軸線方向において前記接触部から離れて位置する第２接触部であって、前記現像カートリッジが前記本体ケーシングに装着されるときに、前記現像カートリッジと接触する第２接触部を有し、
前記現像ローラ本体の前記他端は、前記軸線方向において、前記現像ローラ本体の前記一端と前記ハンドルの前記第２接触部との間に位置することを特徴とする、請求項１３に記載の画像形成装置。
【請求項１５】
前記現像カートリッジは、前記現像カートリッジが前記本体ケーシングに装着されるときに前記接触部と接触する第３接触部を有することを特徴とする、請求項１３または請求項１４に記載の画像形成装置。
【請求項１６】
前記現像カートリッジは、前記現像カートリッジが前記本体ケーシングに装着されるときに前記第２接触部と接触する第４接触部を有することを特徴とする、請求項１４に記載の画像形成装置。
【請求項１７】
前記ハンドルは、前記ドラムフレームと異なる色を有することを特徴とする、請求項１１から請求項１６のいずれか一項に記載の画像形成装置。
【発明の詳細な説明】
【技術分野】
【０００１】
本発明は、画像形成装置に関する。
【背景技術】
【０００２】
従来、本体ケーシングと、ドラムカートリッジと、現像カートリッジとを備える画像形成装置が知られている（下記特許文献１参照）。
【０００３】
本体ケーシングは、開口を有する。ドラムカートリッジは、開口を介して、本体ケーシングに装着可能である。ドラムカートリッジは、感光ドラムを有する。現像カートリッジは、開口を介して、ドラムカートリッジとは独立して本体ケーシングに装着可能である。現像カートリッジは、現像ローラを有する。
【先行技術文献】
【特許文献】
【０００４】
【特許文献１】特開２０１７−５８５１７号公報
【発明の概要】
【発明が解決しようとする課題】
【０００５】
しかし、上記特許文献１に記載される画像形成装置では、ドラムカートリッジおよび現像カートリッジが本体ケーシングに装着されている状態で、ユーザーは、開口を介して、ドラムカートリッジおよび現像カートリッジの両方を見ることができる。
【０００６】
そのため、ユーザーが、交換頻度の高い現像カートリッジを優先的に取り外したい場合に、誤って、ドラムカートリッジを本体ケーシングから取り外そうとしてしまう場合がある。
【０００７】
そこで、本開示の目的は、ドラムカートリッジおよび現像カートリッジが本体ケーシングに装着されている状態で、現像カートリッジを確実に選択して、取り外すことができる画像形成装置を提供することにある。
【課題を解決するための手段】
【０００８】
本発明の画像形成装置は、本体ケーシングと、ドラムカートリッジと、現像カートリッジとを備える。
【０００９】
本体ケーシングは、ドラムガイドと、現像ガイドとを備える。現像ガイドの長さは、ドラムガイドの長さよりも長い。本体ケーシングは、開口を有する。
【００１０】
ドラムカートリッジは、開口を介してドラムガイドにガイドされることにより本体ケーシングに装着可能である。ドラムカートリッジは、感光ドラムと、ハンドルとを備える。ハンドルは、第１位置と第２位置との間を移動可能である。
【００１１】
現像カートリッジは、開口を介して現像ガイドにガイドされることにより本体ケーシングに装着可能である。現像カートリッジは、現像ローラを備える。
【００１２】
ハンドルは、ドラムカートリッジが本体ケーシングに装着され、かつ、現像カートリッジが本体ケーシングから離脱された状態で、第１位置に位置し、ドラムカートリッジと現像カートリッジとが本体ケーシングに装着された状態で、現像カートリッジによって押圧されることにより、第１位置よりも開口から離れている第２位置に位置する。
【００１３】
このような構成によれば、ドラムカートリッジのハンドルは、ドラムカートリッジと現像カートリッジとが本体ケーシングに装着された状態で、現像カートリッジによって第２位置に位置させられることにより、開口から離される。
【００１４】
そのため、ユーザーは、開口を介して本体ケーシング内を見たときに、ドラムカートリッジのハンドルを見つけにくい。
【００１５】
これにより、ドラムカートリッジと現像カートリッジとが本体ケーシングに装着された状態で、ユーザーの注意を、ドラムカートリッジのハンドルではなく、現像カートリッジに誘導することができる。
【００１６】
その結果、ユーザーは、ドラムカートリッジおよび現像カートリッジが本体ケーシングに装着されている状態で、現像カートリッジを確実に選択して、取り外すことができる。
【発明の効果】
【００１７】
本発明の画像形成装置によれば、ユーザーは、ドラムカートリッジおよび現像カートリッジが本体ケーシングに装着されている状態で、現像カートリッジを確実に選択して、取り外すことができる。
【図面の簡単な説明】
【００１８】
【図１】図１は、画像形成装置の概略構成図である。
【図２】図２は、図１に示す本体ケーシングを説明する説明図である。
【図３】図３は、図１に示すドラムカートリッジの斜視図である。
【図４】図４は、ドラムカートリッジが本体ケーシングに装着され、現像カートリッジが本体ケーシングから離脱された状態を説明する説明図である。
【図５】図５は、ドラムカートリッジおよび現像カートリッジが本体ケーシングに装着された状態を説明する説明図である。
【図６】図６は、図４に示す本体ケーシングおよびドラムカートリッジの斜視図である。
【図７】図７は、図５に示す本体ケーシング、ドラムカートリッジおよび現像カートリッジの斜視図である。
【図８】図８は、第２実施形態を説明する説明図であって、ドラムカートリッジが本体ケーシングに装着され、現像カートリッジが本体ケーシングから離脱された状態を示す。
【図９】図９は、図８とともに第２実施形態を説明する説明図であって、ドラムカートリッジおよび現像カートリッジが本体ケーシングに装着された状態を示す。
【図１０】図１０は、第３実施形態を説明する説明図であって、ドラムカートリッジが本体ケーシングに装着され、現像カートリッジが本体ケーシングから離脱された状態を示す。
【図１１】図１１は、図１０とともに第３実施形態を説明する説明図であって、ドラムカートリッジおよび現像カートリッジが本体ケーシングに装着された状態を示す。
【図１２】図１２は、図１０に示す本体ケーシングおよびドラムカートリッジの斜視図である。
【図１３】図１３は、図１１に示す本体ケーシング、ドラムカートリッジおよび現像カートリッジの斜視図である。
【図１４】図１４は、図１３に示す現像カートリッジの平面図である。
【発明を実施するための形態】
【００１９】
１．画像形成装置１の概略
以下、画像形成装置１の概略について説明する。
【００２０】
図１に示すように、画像形成装置１は、本体ケーシング２と、ドラムカートリッジ３と、現像カートリッジと４を備える。
【００２１】
１．１  本体ケーシング２
本体ケーシング２は、ドラムカートリッジ３および現像カートリッジ４を本体ケーシング２に装着するための開口２Ａを有する。開口２Ａは、ドラムカートリッジ３が本体ケーシング２に装着されるとき、および、現像カートリッジ４が本体ケーシング２に装着されるときに、共通して使用される。本体ケーシング２は、カバー５と、露光装置６と、転写ローラ７と、定着器８と、給紙部９と、給紙トレイ１０とを備える。
【００２２】
カバー５は、開口２Ａを開放する開位置（図２参照）と、開口２Ａを閉鎖する閉位置（図１参照）との間を移動可能である。カバー５は、本体ケーシング２の上端に位置するトップカバーである。カバー５は、露光装置６よりも上方に位置する。
【００２３】
露光装置６は、感光ドラム１２の表面を露光するように構成される。感光ドラム１２については、後述する。露光装置６は、レーザースキャンユニットである。露光装置６は、光Ｌを出射するための出射口６Ａを有する。出射口６Ａから出射された光Ｌは、帯電ローラ１３の下方、かつ、現像カートリッジ４の上方を通って感光ドラム１２の表面に入射する。帯電ローラ１３については、後述する。
【００２４】
転写ローラ７は、感光ドラム１２の表面に形成されたトナー像を用紙に転写するように構成される。転写ローラ７は、ドラムカートリッジ３が本体ケーシング２に装着された状態で、感光ドラム１２の表面に接触する。
【００２５】
定着器８は、トナー像が転写された用紙を加熱および加圧して、用紙にトナー像を定着させるように構成される。定着器８を通過した用紙は、カバー５の上に排紙される。
【００２６】
給紙部９は、給紙トレイ１０内の用紙を、感光ドラム１２と転写ローラ７との間に供給するように構成される。
【００２７】
給紙トレイ１０は、用紙を収容するように構成される。
【００２８】
１．２  ドラムカートリッジ３
ドラムカートリッジ３は、開口２Ａを介して本体ケーシング２に装着可能である。ドラムカートリッジ３は、感光ドラム１２と、帯電ローラ１３とを備える。
【００２９】
感光ドラム１２は、軸線方向に延びる回転軸線Ａについて回転可能である。感光ドラム１２は、回転軸線Ａに沿って延びるドラムシャフト１２Ａを備える。
【００３０】
帯電ローラ１３は、感光ドラム１２の表面を帯電するように構成される。帯電ローラ１３は、感光ドラム１２の表面に接触する。
【００３１】
１．３  現像カートリッジ４
現像カートリッジ４は、開口２Ａを介して本体ケーシング２に装着可能である。現像カートリッジ４は、ドラムカートリッジ３とは独立して本体ケーシング２に装着可能である。現像カートリッジ４は、トナーを収容する。現像カートリッジ４は、現像ローラ１４を備える。
【００３２】
現像ローラ１４は、感光ドラム１２にトナーを供給するように構成される。現像ローラ１４は、ドラムカートリッジ３と現像カートリッジ４とが本体ケーシング２に装着された状態で、ドラムシャフト１２Ａよりも下方に位置する。言い換えると、ドラムカートリッジ３と現像カートリッジ４とが本体ケーシング２に装着された状態で、カバー５と現像ローラ１４との上下方向距離は、カバー５とドラムシャフト１２Ａとの上下方向距離よりも長い。現像ローラ１４は、ドラムカートリッジ３と現像カートリッジ４とが本体ケーシング２に装着された状態で、感光ドラム１２の表面に接触する。
【００３３】
２．本体ケーシング２の詳細
次いで、本体ケーシング２の詳細について説明する。
【００３４】
図２に示すように、本体ケーシング２は、ドラムガイド２１と、現像ガイド２２とを備える。
【００３５】
２．１  ドラムガイド２１
ドラムガイド２１は、ドラムカートリッジ３（図１参照）が本体ケーシング２に装着されるときに、ドラムカートリッジ３を、感光ドラム１２が転写ローラ７に接触する位置まで、ガイドする。すなわち、ドラムカートリッジ３は、開口２Ａを介してドラムガイド２１にガイドされることにより本体ケーシング２に装着可能である。ドラムガイド２１は、軸線方向において、本体ケーシング２の内面に位置する。ドラムガイド２１は、ドラム装着方向に延びる。ドラム装着方向は、ドラムカートリッジ３が本体ケーシング２に装着されるときに、ドラムカートリッジ３が移動する方向である。ドラムガイド２１は、ドラム装着方向において、上流端２１Ａと下流端２１Ｂとを有する。上流端２１Ａは、カバー５が閉位置に位置する状態で、ドラム装着方向において、カバー５と下流端２１Ｂとの間に位置する。下流端２１Ｂは、水平方向において、転写ローラ７と露光装置６との間に位置する。
【００３６】
２．２  現像ガイド２２
現像ガイド２２は、現像カートリッジ４（図１参照）が本体ケーシング２に装着されるときに、現像カートリッジ４を、現像ローラ１４が感光ドラム１２に接触する位置まで、ガイドする。すなわち、現像カートリッジ４は、開口２Ａを介して現像ガイド２２にガイドされることにより本体ケーシング２に装着可能である。現像ガイド２２は、ドラムガイド２１と露光装置６との間に位置する。現像ガイド２２は、軸線方向において、本体ケーシング２の内面に位置する。現像ガイド２２は、現像装着方向に延びる。現像装着方向は、現像カートリッジ４が本体ケーシング２に装着されるときに、現像カートリッジ４が移動する方向である。現像ガイド２２の長さは、ドラムガイド２１の長さよりも長い。現像ガイド２２は、現像装着方向において、上流端２２Ａと下流端２２Ｂとを有する。上流端２２Ａは、カバー５が閉位置に位置する状態で、現像装着方向において、カバー５と下流端２２Ｂとの間に位置する。下流端２２Ｂは、ドラムガイド２１の下流端２１Ｂよりも下方に位置する。
【００３７】
３．ドラムカートリッジ３の詳細
次いで、ドラムカートリッジ３の詳細について説明する。
【００３８】
図３に示すように、ドラムカートリッジ３は、上記した感光ドラム１２（図１参照）、上記した帯電ローラ１３（図１参照）、ドラムフレーム３１およびハンドル３２を備える。
【００３９】
３．１  ドラムフレーム３１
ドラムフレーム３１は、感光ドラム１２および帯電ローラ１３を収容する。ドラムフレーム３１は、軸線方向に延びる。ドラムフレーム３１は、筒形状を有する。ドラムフレーム３１は、軸線方向において、第１側板３１Ａと第２側板３１Ｂとを備える。
【００４０】
第１側板３１Ａは、軸線方向における感光ドラム１２の一端を支持する。詳しくは、第１側板３１Ａは、軸線方向におけるドラムシャフト１２Ａの一端を、回転可能に支持する。
【００４１】
第２側板３１Ｂは、軸線方向において、第１側板３１Ａに対して間隔を隔てて位置する。第２側板３１Ｂは、軸線方向における感光ドラム１２の他端を支持する。詳しくは、第２側板３１Ｂは、軸線方向におけるドラムシャフト１２Ａの他端を、回転可能に支持する。第１側板３１Ａが軸線方向における感光ドラム１２の一端を支持し、第２側板３１Ｂが軸線方向における感光ドラム１２の他端を支持することにより、ドラムフレーム３１は、感光ドラム１２を支持する。
【００４２】
３．２  ハンドル３２
ハンドル３２は、ドラムカートリッジ３が本体ケーシング２に装着されるとき、または、ドラムカートリッジ３が本体ケーシング２から取り外されるときに、ユーザーによって、つかまれる。ハンドル３２は、第１アーム３３Ａと、第２アーム３３Ｂと、接続部３４とを有する。
【００４３】
第１アーム３３Ａは、ドラムフレーム３１の第１側板３１Ａに取り付けられる。第１アーム３３Ａは、感光ドラム１２の径方向に延びる。第１アーム３３Ａは、ドラムフレーム３１に対して回動可能である。第１アーム３３Ａは、感光ドラム１２の回転軸線Ａについて回動可能である。
【００４４】
第２アーム３３Ｂは、軸線方向において、第１アーム３３Ａから離れて位置する。第２アーム３３Ｂは、軸線方向において、ドラムフレーム３１に対して第１アーム３３Ａの反対側に位置する。第２アーム３３Ｂは、ドラムフレーム３１の第２側板３１Ｂに取り付けられる。第２アーム３３Ｂは、感光ドラム１２の径方向に延びる。第２アーム３３Ｂは、ドラムフレーム３１に対して回動可能である。第２アーム３３Ｂは、感光ドラム１２の回転軸線Ａについて回動可能である。
【００４５】
接続部３４は、第１アーム３３Ａと第２アーム３３Ｂとを接続する。接続部３４は、感光ドラム１２の径方向において、ドラムフレーム３１に対して間隔を隔てて位置する。接続部３４は、軸線方向に延びる。接続部３４は、グリップ３５を有する。
【００４６】
グリップ３５は、接続部３４の一部である。グリップ３５は、軸線方向において、接続部３４の中央に位置する。グリップ３５は、軸線方向に延びる。
【００４７】
図４および図５に示すように、ハンドル３２は、第１位置（図４参照）と第２位置（図５参照）との間を移動可能である。第２位置は、第１位置よりも開口２Ａから離れている。詳しくは、ハンドル３２は、ドラムフレーム３１に取り付けられる。ハンドル３２は、第１位置と第２位置との間を、ドラムフレーム３１に対して回動可能である。ハンドル３２は、感光ドラム１２の回転軸線Ａについて回動可能である。なお、ハンドル３２の回動中心は、ドラムカートリッジ３と現像カートリッジ４とが本体ケーシング２に装着された状態で、感光ドラム１２の回転軸線Ａと現像カートリッジ４との間に位置してもよい。
【００４８】
図４に示すように、ハンドル３２は、ドラムカートリッジ３が本体ケーシング２に装着され、かつ、現像カートリッジ４が本体ケーシング２から離脱された状態で、第１位置に位置する。ハンドル３２は、図示しないバネによって押圧されることにより、ドラムカートリッジ３が本体ケーシング２に装着され、かつ、現像カートリッジ４が本体ケーシング２から離脱された状態で、第１位置に保たれる。ハンドル３２のグリップ３５は、第１位置に位置する状態で、露光装置６と感光ドラム１２との間に位置する。図６に示すように、ハンドル３２が第１位置に位置するとき、ユーザーは、開口２Ａを介して、ハンドル３２を見ることができる。また、図４に示すように、第１位置に位置するハンドル３２は、軸線方向から見て、現像ガイド２２と重なる。そのため、ドラムカートリッジ３が本体ケーシング２に装着された状態で、本体ケーシング２に現像カートリッジ４（図１参照）が装着された場合、現像カートリッジ４は、現像ガイド２２によってガイドされて、ハンドル３２と接触する。
【００４９】
また、図５に示すように、ハンドル３２は、ドラムカートリッジ３と現像カートリッジ４とが本体ケーシング２に装着された状態で、現像カートリッジ４によって押圧されることにより、図示しないバネの力に抗して、第２位置に位置する。このとき、現像カートリッジ４は、第２位置に位置するハンドル３２と本体ケーシング２の開口２Ａとの間に位置する。言い換えると、現像カートリッジ４は、第２位置に位置するハンドル３２と、閉位置に位置するカバー５との間に位置する。「現像カートリッジ４は、第２位置に位置するハンドル３２と、閉位置に位置するカバー５との間に位置する」とは、、第２位置に位置するハンドル３２と、閉位置に位置するカバー５とを結ぶ直線のいずれかを、現像カートリッジが横切るという意味である。詳しくは、現像カートリッジ４は、第２位置に位置するハンドル３２の少なくとも一部と閉位置に位置するカバー５との間に位置する。具体的には、現像カートリッジ４は、第２位置に位置するハンドル３２のグリップ３５と閉位置に位置するカバー５との間に位置する。図７に示すように、ハンドル３２は、ドラムカートリッジ３と現像カートリッジ４とが本体ケーシング２に装着された状態で、現像カートリッジ４によって覆われる。これにより、ユーザーが開口２Ａを介して本体ケーシング２の内部を見たときに、ハンドル３２は、現像カートリッジ４によって隠れて、ユーザーから見えにくくなる。
【００５０】
４．現像カートリッジ４の詳細
次いで、現像カートリッジ４の詳細について説明する。
【００５１】
図７に示すように、現像カートリッジ４は、上記した現像ローラ１４（図１参照）と、現像フレーム４１とを備える。
【００５２】
現像フレーム４１は、トナーを収容する。また、現像フレーム４１は、現像ローラ１４を回転可能に支持する。現像フレーム４１は、軸線方向に延びる。現像フレーム４１を筒形状を有する。図５に示すように、現像フレーム４１の一部は、現像カートリッジ４が本体ケーシング２に装着されたときに、ドラムカートリッジ３のハンドル３２と接触する。これにより、現像カートリッジ４は、本体ケーシング２に装着されたときに、ドラムカートリッジ３のハンドル３２を、ハンドル３２の図示しないバネの力に抗して、第１位置から第２位置へ向かって押圧する。現像カートリッジ４がハンドル３２を押圧する第１押圧方向Ｄ１は、現像ローラ１４が感光ドラム１２を押圧する第２押圧方向Ｄ２に対して交差する。第１押圧方向Ｄ１と第２押圧方向Ｄ２とは、４５°よりも大きく、９０°以下の角度θを形成する。第１押圧方向Ｄ１と第２押圧方向Ｄ２とが、４５°よりも大きく、９０°以下の角度θを形成することにより、現像カートリッジ４がハンドル３２を介して図示しないバネから受ける力が、現像ローラ１４を感光ドラム１２に押圧するための力に影響することを低減できる。好ましくは、第１押圧方向Ｄ１と第２押圧方向Ｄ２とは、直交する。また、現像フレーム４１は、グリップ４２を有する。
【００５３】
図７に示すように、グリップ４２は、現像フレーム４１から突出する。グリップ４２は、軸線方向において、現像フレーム４１の中央に位置する。グリップ４２は、軸線方向に延びる。グリップ４２は、ドラムカートリッジ３と現像カートリッジ４とが本体ケーシング２に装着された状態で、水平方向において、ドラムカートリッジ３と露光装置６（図５参照）との間に位置する。グリップ４２は、ドラムカートリッジ３と現像カートリッジ４とが本体ケーシング２に装着された状態で、開口２Ａを介して、ユーザーから見える。ドラムカートリッジ３と現像カートリッジ４とが本体ケーシング２に装着された状態で、ドラムカートリッジ３のハンドル３２は、開口２Ａを介して、ユーザーから見えにくく、現像カートリッジ４のグリップ４２は、開口２Ａを介して、ユーザーから見えやすい。なお、グリップ４２は、ユーザーの注意を引きやすいように、ドラムフレーム３１および現像フレーム４１と異なる色で着色されてもよい。
【００５４】
５．作用効果
画像形成装置１によれば、図５および図７に示すように、ドラムカートリッジ３のハンドル３２は、ドラムカートリッジ３と現像カートリッジ４とが本体ケーシング２に装着された状態で、現像カートリッジ４によって第２位置に位置させられることにより、開口２Ａから離される。
【００５５】
そのため、ユーザーは、開口２Ａを介して本体ケーシング２内を見たときに、ドラムカートリッジ３のハンドル３２を見つけにくい。
【００５６】
これにより、ドラムカートリッジ３と現像カートリッジ４とが本体ケーシング２に装着された状態で、ユーザーの注意を、ドラムカートリッジ３のハンドル３２ではなく、現像カートリッジ４に誘導することができる。
【００５７】
その結果、ユーザーは、ドラムカートリッジ３および現像カートリッジ４が本体ケーシング２に装着されている状態で、現像カートリッジ４を確実に選択して、取り外すことができる。
【００５８】
また、図６に示すように、現像カートリッジ４が本体ケーシング２から取り外された後には、ユーザーは、第１位置に位置するハンドル３２を、容易に見つけることができる。
【００５９】
これにより、現像カートリッジ４が本体ケーシング２から取り外された後には、ユーザーは、第１位置に位置するハンドル３２をつかんで、ドラムカートリッジ３を本体ケーシング２から取り外すことができる。
【００６０】
６．第２実施形態
次いで、第２実施形態について説明する。第２実施形態において、上記した第１実施形態と同じ部材には同じ符号を付し、その説明を省略する。
【００６１】
第２実施形態では、ハンドル５１は、第１位置と第２位置との間を、ドラムフレーム３１に対してスライド可能である。
【００６２】
詳しくは、ハンドル５１は、図８に示すように、ドラムカートリッジ３が本体ケーシング２に装着され、かつ、現像カートリッジ５２（図９参照）が本体ケーシング２から離脱された状態で、第１位置に位置する。第１位置において、ハンドル５１は、ドラムフレーム３１に設けられる開口５０を介してドラムフレーム３１の外に突出する。
【００６３】
また、ハンドル５１は、図９に示すように、ドラムカートリッジ３と現像カートリッジ５２とが本体ケーシング２に装着された状態で、現像カートリッジ５２の一部によって覆われる。このとき、ハンドル５１は、現像カートリッジ５２の一部によって押圧されることにより、ドラムフレーム３１に対してスライドして、第１位置よりもドラムフレーム３１内に移動した第２位置に位置する。ハンドル５１は、第２位置に位置するときに、第１位置に位置するときよりも開口２Ａから離れている。ハンドル５１は、ドラムカートリッジ３と現像カートリッジ５２とが本体ケーシング２に装着された状態で、現像カートリッジ５２の一部によって覆われることにより、開口２Ａを介して、ユーザーから見えなくなる。これにより、ドラムカートリッジ３と現像カートリッジ４とが本体ケーシング２に装着された状態で、ユーザーの注意を、ドラムカートリッジ３のハンドル５１ではなく、現像カートリッジ４に誘導することができる。
【００６４】
第２実施形態においても、第１実施形態と同様の作用効果を得ることができる。
【００６５】
７．第３実施形態
次いで、第３実施形態について説明する。第３実施形態において、上記した第２実施形態と同じ部材には同じ符号を付し、その説明を省略する。
【００６６】
第３実施形態では、ハンドル６２は、図１０に示すように、ドラムカートリッジ３が本体ケーシング２に装着され、かつ、現像カートリッジ４が本体ケーシング２から離脱された状態で、少なくとも一部分がドラムフレーム３１の外部にある第１位置に位置する。詳しくは、ハンドル６２が第１位置に位置するとき、少なくともグリップ６７が、ドラムフレーム３１の外部にある。
【００６７】
また、ハンドル６２は、図１１に示すように、ドラムカートリッジ３と現像カートリッジ４とが本体ケーシング２に装着された状態で、現像カートリッジ４によって押圧されることにより、その全部がドラムフレーム３１の内部にある第２位置に位置する。
【００６８】
以下、第３実施形態について詳しく説明する。
【００６９】
７．１  ドラムカートリッジ６０
ドラムカートリッジ６０は、ドラムフレーム６１と、ハンドル６２と、押圧部材６３を有する。
【００７０】
７．１．１  ドラムフレーム６１
図１２に示すように、ドラムフレーム６１は、開口６４を有する。
【００７１】
開口６４は、軸線方向において、ドラムフレーム６１の中央に位置する。開口６４は、軸線方向に延びる。
【００７２】
７．１．２  ハンドル６２
ハンドル６２は、接触部６５Ａと、第２接触部６５Ｂと、接続部６６とを有する。
【００７３】
接触部６５Ａは、現像カートリッジ４が本体ケーシング２に装着されるときに、現像カートリッジ４の第３接触部６８Ａ（図１４参照）と接触する。第３接触部６８Ａについては、後述する。接触部６５Ａは、ドラムフレーム６１の第１側板３１Ａと開口６４との間に位置する。接触部６５Ａは、感光ドラム１２の径方向に延びる。接触部６５Ａは、ドラムフレーム６１から突出する。接触部６５Ａは、棒形状を有する。
【００７４】
第２接触部６５Ｂは、現像カートリッジ４が本体ケーシング２に装着されるときに、現像カートリッジ４の第４接触部６８Ｂ（図１４参照）と接触する。第４接触部６８Ｂについては、後述する。第２接触部６５Ｂは、軸線方向において、接触部６５Ａから離れて位置する。第２接触部６５Ｂは、軸線方向において、開口６４に対して接触部６５Ａの反対側に位置する。第２接触部６５Ｂは、ドラムフレーム６１の第２側板３１Ｂと開口６４との間に位置する。第２接触部６５Ｂは、感光ドラム１２の径方向に延びる。第２接触部６５Ｂは、ドラムフレーム６１から突出する。第２接触部６５Ｂは、棒形状を有する。
【００７５】
接続部６６は、接触部６５Ａと第２接触部６５Ｂとを接続する。接続部６６は、軸線方向に延びる。接続部６６は、グリップ６７を有する。
【００７６】
グリップ６７は、接続部６６の一部である。グリップ６７は、軸線方向において、接続部６６の中央に位置する。グリップ６７は、軸線方向に延びる。グリップ６７は、ハンドル６２が第１位置に位置するときに、開口６４を介して、ドラムフレーム６１から突出する。グリップ６７は、ドラムフレーム６１と異なる色を有する。すなわち、ハンドル６２は、ドラムフレーム６１と異なる色を有する。これにより、ハンドル６２は、第１位置に位置するときに、ユーザーの注意を引きやすい。また、グリップ６７は、図１３に示すように、ハンドル６２が第２位置に位置するときに、ドラムフレーム６１内に収容される。
【００７７】
７．１．３  押圧部材６３
図１０および図１１に示すように、押圧部材６３は、第２位置に位置するハンドル６２を第１位置に向かって押圧する。これにより、押圧部材６３は、ドラムカートリッジ６０が本体ケーシング２に装着され、かつ、現像カートリッジ４を本体ケーシング２から離脱された状態で、ハンドル６２を第１位置に位置させる。ハンドル６２が第１位置に位置するとき、少なくともグリップ６７は、ドラムフレーム６１の外部にある。これにより、ユーザーは、グリップ６７を掴んでドラムカートリッジ６０を本体ケーシング２から離脱させることができることを、理解しやすくなる。押圧部材６３は、具体的には、圧縮バネである。
【００７８】
７．２  現像カートリッジ４
図１４に示すように、現像カートリッジ４は、上記した現像ローラ１４と、上記した現像フレーム４１と、第３接触部６８Ａと、第４接触部６８Ｂとを備える。
【００７９】
７．２．１  現像ローラ１４
現像ローラ１４は、現像ローラ本体１４Ａと、現像ローラシャフト１４Ｂとを備える。
【００８０】
現像ローラ本体１４Ａは、ドラムカートリッジ３および現像カートリッジ４が本体ケーシング２に装着された状態で、感光ドラム１２の表面に接触する。現像ローラ本体１４Ａは、現像フレーム４１の側板４１Ａと側板４１Ｂとの間に位置する。側板４１Ａおよび側板４１Ｂについては、後述する。現像ローラ本体１４Ａは、軸線方向に延びる。現像ローラ本体１４Ａは、円柱形状を有する。現像ローラ本体１４Ａは、軸線方向における一端Ｅ１と、軸線方向において一端Ｅ１から離れた他端Ｅ２とを有する。現像ローラ本体１４Ａの一端Ｅ１は、ドラムカートリッジ３および現像カートリッジ４が本体ケーシング２に装着された状態で、軸線方向において、現像ローラ本体１４Ａの他端Ｅ２とハンドル６２の接触部６５Ａとの間に位置する。現像ローラ本体１４Ａの他端Ｅ２は、ドラムカートリッジ３および現像カートリッジ４が本体ケーシング２に装着された状態で、軸線方向において、現像ローラ本体１４Ａの一端Ｅ１とハンドル６２の第２接触部６５Ｂとの間に位置する。
【００８１】
現像ローラシャフト１４Ｂは、軸線方向に延びる。詳しくは、現像ローラシャフト１４Ｂは、現像ローラ１４の回転軸線に沿って延びる。現像ローラシャフト１４Ｂは、円柱形状を有する。現像ローラシャフト１４Ｂは、軸線方向における一端Ｅ１１と、軸線方向における他端Ｅ１２とを有する。現像ローラシャフト１４Ｂの一端Ｅ１１は、現像フレーム４１の側板４１Ａに回転可能に支持される。現像ローラシャフト１４Ｂの一端Ｅ１１は、現像フレーム４１の側板４１Ｂに回転可能に支持される。
【００８２】
７．２．２  現像フレーム４１
現像フレーム４１は、軸線方向において、側板４１Ａと側板４１Ｂとを備える。
【００８３】
側板４１Ａは、軸線方向における現像ローラ１４の一端を支持する。詳しくは、側板４１Ａは、軸線方向における現像ローラシャフト１４Ｂの一端Ｅ１１を、回転可能に支持する。
【００８４】
側板４１Ｂは、軸線方向において、側板４１Ａに対して間隔を隔てて位置する。側板４１Ｂは、軸線方向における現像ローラ１４の他端を支持する。詳しくは、側板４１Ｂは、軸線方向における現像ローラシャフト１４Ｂの他端Ｅ１２を、回転可能に支持する。側板４１Ａが軸線方向における現像ローラ１４の一端を支持し、側板４１Ｂが軸線方向における現像ローラ１４の他端を支持することにより、現像フレーム４１は、現像ローラ１４を支持する。
【００８５】
７．２．３  第３接触部６８Ａおよび第４接触部６８Ｂ
第３接触部６８Ａは、現像カートリッジ４が本体ケーシング２に装着されるときに、ハンドル６２の接触部６５Ａと接触する。第３接触部６８Ａは、現像フレーム４１の一部であってもよく、現像フレーム４１とは別の部材からなり、現像フレーム４１に取り付けられいてもよい。この実施形態では、第３接触部６８Ａは、突起である。第３接触部６８Ａは、側板４１Ａから突出する。第３接触部６８Ａは、軸線方向において、現像ローラ本体１４Ａの一端Ｅ１に対して、現像ローラ本体１４Ａの他端Ｅ２の反対側に位置する。
【００８６】
第４接触部６８Ｂは、現像カートリッジ４が本体ケーシング２に装着されるときに、ハンドル６２の第２接触部６５Ｂと接触する。第４接触部６８Ｂは、現像フレーム４１の一部であってもよく、現像フレーム４１とは別の部材からなり、現像フレーム４１に取り付けられいてもよい。この実施形態では、第４接触部６８Ｂは、突起である。第４接触部６８Ｂは、側板４１Ｂから突出する。第４接触部６８Ｂは、軸線方向において、現像ローラ本体１４Ａの他端Ｅ２に対して、現像ローラ本体１４Ａの一端Ｅ１の反対側に位置する。
【００８７】
図１０および図１１に示すように、現像カートリッジ４が本体ケーシング２に装着されるときに、第３接触部６８Ａ（図１４参照）がハンドル６２の接触部６５Ａを押圧し、第４接触部６８Ｂ（図１４参照）がハンドル６２の第２接触部６５Ｂを押圧することにより、ハンドル６２は、現像カートリッジ４によって押圧される。これにより、ハンドル６２は、押圧部材６３の押圧力に抗して、第２位置に位置する。ハンドル６２が第２位置に位置するとき、ハンドル６２の全部は、ドラムフレーム３１の内部にある。ハンドル６２は、ドラムカートリッジ６０と現像カートリッジ４とが本体ケーシング２に装着された状態で、ドラムフレーム３１の内部に位置することにより、開口２Ａを介して、ユーザーから見えにくくなる。これにより、ドラムカートリッジ６０と現像カートリッジ４とが本体ケーシング２に装着された状態で、ユーザーの注意を、ドラムカートリッジ６０のハンドル６２ではなく、現像カートリッジ４に誘導することができる。
【００８８】
第３実施形態においても、第１実施形態と同様の作用効果を得ることができる。
【符号の説明】
【００８９】
１        画像形成装置
２        本体ケーシング
２Ａ      開口
３        ドラムカートリッジ
４        現像カートリッジ
１２      感光ドラム
１４      現像ローラ
１４Ａ    現像ローラ本体
１４Ｂ    現像ローラシャフト
２１      ドラムガイド
２２      現像ガイド
３１      ドラムフレーム
３２      ハンドル
３３Ａ    第１アーム
３３Ｂ    第２アーム
３４      接続部
５１      ハンドル
５２      現像カートリッジ
６０      ドラムカートリッジ
６１      ドラムフレーム
６２      ハンドル
６３      押圧部材
６５Ａ    接触部
６５Ｂ    第２接触部
６８Ａ    第３接触部
６８Ｂ    第４接触部
Ａ        回転軸線
Ｄ１      第１押圧方向
Ｄ２      第２押圧方向
Ｅ１      一端
Ｅ２      他端
θ        角度
【図１】
2019015800.tif 000003
【図２】
2019015800.tif 000004
【図３】
2019015800.tif 000005
【図４】
2019015800.tif 000006
【図５】
2019015800.tif 000007
【図６】
2019015800.tif 000008
【図７】
2019015800.tif 000009
【図８】
2019015800.tif 000010
【図９】
2019015800.tif 000011
【図１０】
2019015800.tif 000012
【図１１】
2019015800.tif 000013
【図１２】
2019015800.tif 000014
【図１３】
2019015800.tif 000015
【図１４】
2019015800.tif 000016